(57)【要約】【課題】口金ピンのかしめにより、この口金ピンにバルブのリード線を簡単確実かつ迅速に接続することができると共に、輸送時や梱包時等で口金ピンの変形等の破損を防止ないし低減することができる環形ランプ用口金、環形蛍光ランプおよび照明器具を提供する。【解決手段】環形ランプのバルブの両端部間に跨って配設可能な中空状の口金本体３ｏを備えており、この口金本体は、外面に形成された凹部７ａ、外端が口金本体の外面よりも外方へ突出しないように凹部の底部７ｂに立設されて上記バルブから導出されるリード線に接続可能な口金ピン７ｏおよび凹部のバルブの環径方向にそれぞれ連通する一対の連通溝が形成された第１の口金部材７と、この第１の口金部材と組み合せることで上記一対の連通溝を塞ぐように配設された一対の係止突部８ｃ，８ｄを有する第２の口金部材８とから構成されている。【選択図】  図３
2006140143.tif 000002
【特許請求の範囲】
【請求項１】
環形ランプのバルブの両端部間に跨って配設可能な中空状の口金本体を備えており、この口金本体は、
外面に形成された凹部、外端が口金本体の外面よりも外方へ突出しないように上記凹部の底部に立設されて上記バルブから導出されるリード線に接続可能な口金ピンおよび上記凹部の上記バルブの環径方向にそれぞれ連通する一対の連通溝が形成された第１の口金部材と、
この第１の口金部材と組み合せることで上記一対の連通溝を塞ぐように配設された一対の係止突部を有する第２の口金部材とから構成されていることを特徴とする環形ランプ用口金。
【請求項２】
上記第１の口金部材の一対の連通溝と第２の口金部材の一対の係止突部とを係合させる係合部が口金本体に形成されていることを特徴とする請求項１記載の環形ランプ用口金。
【請求項３】
上記第１の口金部材は、その内部に、上記バルブの端部から導出されたリード線を保持してリード線を所定位置に配線するリード線ガイドが成形されていることを特徴とする請求項１または２記載の環形ランプ用口金。
【請求項４】
環形ランプのバルブ両端部間に跨って配設可能な中空状の口金本体を備えており、この口金本体は、
外面に立設されて上記バルブから導出されるリード線に接続可能な口金ピンおよび嵌合部を有する第１の口金部材と、
この嵌合部に着脱自在に嵌合される被嵌合部、上記口金ピンと電気的に接続して電力を供給するソケットの一対の係止手段に着脱自在に係合する係合段部、第１の口金部材の嵌合部に被嵌合部が嵌合されたときに上記第１の口金部材側に突出するとともに、上記ソケットの一対の係止手段を上記係合段部に案内するガイド部を有する第２の口金部材と、
を具備していることを特徴とする環形蛍光ランプ用口金。
【請求項５】
環形ランプのバルブ両端部間に跨って配設可能な中空状の口金本体を備えており、この口金本体は、
外面に立設されて上記バルブから導出されるリード線に接続可能な口金ピンおよび嵌合部を有する第１の口金部材と、
この嵌合部に着脱自在に嵌合される被嵌合部、上記口金ピンと電気的に接続して電力を供給するソケットの一対の係止手段に着脱自在に係合する係合段部、この係合段部に一体に形成され、上記第１の嵌合部に被嵌合部が嵌合されたときに上記第１の口金部材側に突出する一対の係止突部を有する第２の口金部材と、
を具備していることを特徴とする環形蛍光ランプ用口金。
【請求項６】
上記バルブの端部側に封装された一対の電極、上記一対の電極にそれぞれ接続されて上記端部から外部へそれぞれ導出されたリード線、内面に形成された蛍光体層および内部に放電媒体が封入され、少なくとも一対の端部が対向するように環形に形成された環形のバルブと；
このバルブの上記一対の端部間に跨って配設された請求項１ないし５のいずれか一記載の環形ランプ用口金と；
を具備していることを特徴とする環形蛍光ランプ。
【請求項７】
上記バルブは、複数の環形バルブを同一平面上でほぼ同心状に並設するとともに、連結部により一体に連結して内部に単一の放電路を形成してなる多重環バルブであることを特徴とする請求項６記載の環形蛍光ランプ。
【請求項８】
請求項６または７記載の環形蛍光ランプと；
この環形蛍光ランプが取り付けられる照明器具本体と；
この環形蛍光ランプに電力を供給する点灯回路と；
を具備していることを特徴とする照明器具。
【発明の詳細な説明】
【技術分野】
【０００１】
本発明は、環形バルブに装着される口金、環形蛍光ランプおよび照明器具に関する。
【背景技術】
【０００２】
従来、この種の環形蛍光ランプの口金の一例としては、その口金ピンのかしめにより、環形バルブの電極のリード線を口金ピンに接続するものがある（以下、第１の従来例という）。この従来の口金は、その口金ピンをかしめ治具によりかしめ易くするために、口金ピンを口金本体の外面よりも外方へ突出させている。
【０００３】
しかし、この第１の従来例では、口金ピンが口金外面よりも外方へ突出しているので、その口金ピンが、ランプの運搬時や交換時に、異物に衝当して曲がりや変形が発生する場合がある。
【０００４】
また、ランプ梱包時に突出した口金ピンが包装体に当接しない構造にする必要があり、包装体の構造が複雑となる等の課題がある。
【０００５】
そこで、他の従来の口金（以下、第２の従来例という）としては、口金本体の外面開口の凹部内に、端子ピンを配設し、これら端子ピンの先端を口金本体の外面よりも外方へ突出させないように構成し、この凹部の側面に、かしめ用ポンチが挿脱し得る溝を連通自在に形成したものがある（例えば、特許文献１参照）。
【０００６】
この口金によれば、口金外面から端子ピンの先端を外方へ突出させないので、上述した口金ピンを外方へ突出させた口金（第１の従来例）の課題を解消することができる。しかも、口金の側方に形成された凹部連通溝からかしめ用ポンチを挿脱させることが可能なので、端子ピンをかしめて環形バルブのリード線と電気接続することができる。
【特許文献１】特許第３２２０６４８号公報
【発明の開示】
【発明が解決しようとする課題】
【０００７】
しかしながら、このような第２の従来例では、口金の側方に凹部連通溝が形成しているので、この溝の上面および側面の外面開口の分だけ、凹部開口が増大する。
【０００８】
このために、環形蛍光ランプの運搬時や交換時に、口金の凹部および溝内に、その外面開口から異物等が侵入し易くなるので、端子ピンの曲げ等、変形や破損を発生させる可能性が増大するという課題がある。
【０００９】
また、ソケットとの着脱においてソケット側の係止手段と係合する係合手段の強度向上や誤装着の防止機構については第２の従来例では検討されていなかった。
【００１０】
本発明はこのような事情を考慮してなされたもので、口金ピンのかしめにより、この口金ピンにバルブのリード線を簡単確実かつ迅速に接続することができると共に、輸送時や梱包時等に口金ピンが変形することまたはソケットへの着脱時に破損や誤装着といった不具合が発生することを抑制できる環形ランプ用口金、環形蛍光ランプおよび照明器具を提供することを目的とする。
【課題を解決するための手段】
【００１１】
請求項１に係る発明は、環形ランプのバルブの両端部間に跨って配設可能な中空状の口金本体を備えており、この口金本体は、外面に形成された凹部、外端が口金本体の外面よりも外方へ突出しないように上記凹部の底部に立設されて上記バルブから導出されるリード線に接続可能な口金ピンおよび上記凹部の上記バルブの環径方向にそれぞれ連通する一対の連通溝が形成された第１の口金部材と、この第１の口金部材と組み合せることで上記一対の連通溝を塞ぐように配設された一対の係止突部を有する第２の口金部材とから構成されていることを特徴とする環形ランプ用口金である。
【００１２】
環形バルブは一重環形および多重環形を含むものとし、その形状は円環形、四角形等の多角形環状形のいずれであってもよく、口金が配設可能な空間を形成する少なくとも一対の両端部を有するものを意味する。
【００１３】
請求項２に係る発明は、上記第１の口金部材の一対の連通溝と第２の口金部材の一対の係止突部とを係合させる係合部が口金本体に形成されていることを特徴とする請求項１記載の環形ランプ用口金である。
【００１４】
請求項３に係る発明は、上記第１の口金部材は、その内部に、上記バルブの端部から導出されたリード線を保持してリード線を所定位置に配線するリード線ガイドが成形されていることを特徴とする請求項１または２記載の環形ランプ用口金である。
【００１５】
請求項４に係る発明は、環形ランプのバルブ両端部間に跨って配設可能な中空状の口金本体を備えており、この口金本体は、外面に立設されて上記バルブから導出されるリード線に接続可能な口金ピンおよび嵌合部を有する第１の口金部材と、この嵌合部に着脱自在に嵌合される被嵌合部、上記口金ピンと電気的に接続して電力を供給するソケットの一対の係止手段に着脱自在に係合する係合段部、第１の口金部材の嵌合部に被嵌合部が嵌合されたときに上記第１の口金部材側に突出するとともに、上記ソケットの一対の係止手段を上記係合段部に案内するガイド部を有する第２の口金部材と、を具備していることを特徴とする環形蛍光ランプ用口金である。
【００１６】
請求項５に係る発明は、環形ランプのバルブ両端部間に跨って配設可能な中空状の口金本体を備えており、この口金本体は、外面に立設されて上記バルブから導出されるリード線に接続可能な口金ピンおよび嵌合部を有する第１の口金部材と、この嵌合部に着脱自在に嵌合される被嵌合部、上記口金ピンと電気的に接続して電力を供給するソケットの一対の係止手段に着脱自在に係合する係合段部、この係合段部に一体に形成され、上記第１の嵌合部に被嵌合部が嵌合されたときに上記第１の口金部材側に突出する一対の係止突部を有する第２の口金部材と、を具備していることを特徴とする環形蛍光ランプ用口金である。
【００１７】
請求項６に係る発明は、上記バルブの端部側に封装された一対の電極、上記一対の電極にそれぞれ接続されて上記端部から外部へそれぞれ導出されたリード線、内面に形成された蛍光体層および内部に放電媒体が封入され、少なくとも一対の端部が対向するように環形に形成された環形のバルブと；このバルブの上記一対の端部間に跨って配設された請求項１ないし５のいずれか一記載の環形ランプ用口金と；を具備していることを特徴とする環形蛍光ランプである。
【００１８】
請求項７に係る発明は、複数の環形バルブを同一平面上でほぼ同心状に並設するとともに、連結部により一体に連結して内部に単一の放電路を形成してなる多重環バルブであることを特徴とする請求項６記載の環形蛍光ランプである。
【００１９】
請求項８に係る発明は、請求項６または７記載の環形蛍光ランプと；この環形蛍光ランプが取り付けられる照明器具本体と；この環形蛍光ランプに電力を供給する点灯回路と；を具備していることを特徴とする照明器具である。
【００２０】
なおここで、環形バルブは円環形状多角形状のいずれでもよい。また、バルブは単環状、多重環状のいずれであってもよい。
【発明の効果】
【００２１】
請求項１に係る発明によれば、口金の凹部内に口金ピンを配設し、これら口金ピンの外端を口金本体の外面よりも外方へ突出させていないので、照明器具ソケットとの嵌合が容易になり、かつ環形蛍光ランプの梱包時や輸送時等において口金ピンの外端が異物等に衝当して変形したり破損することを防止ないし低減できる。
【００２２】
また、第１の口金部材に第２の口金部材を結合させて口金に構成する前の当該第１の口金部材は、口金を立設する凹部のバルブの環径方向内外両側が一対の連通溝により外部に開口されているので、この一対の連通溝を介して口金ピンをかしめることができる。さらに、一対の連通溝は、第１の口金部材を第２の口金部材に結合させることにより一対の係止突部で塞がれるので、連通溝から異物等が侵入して口金ピンが変形することがない。
【００２３】
請求項２に係る発明によれば、第１の口金部材と第２の口金部材の係合部同士を係合させることにより、口金に簡単に構成することができる。
【００２４】
請求項３に係る発明によれば、リード線をリード線ガイドに保持させることにより、複数のリード線を所定間隔で離間させることができるので、リード線同士が接触して短絡することを防止ないし低減できる。
【００２５】
請求項４に係る発明によれば、天井面側に取り付けられたソケットの一対の係止手段を、第２の口金部材の係合溝に係合させることにより、バルブの荷重が第１の口金部材よりもソケットから離間している第２の口金部材にかかった状態でソケットの一対の係止手段により支持されることとなるので、バルブの荷重またはランプ取外し時の応力によって第２の口金部材が第１の口金部材から分離して口金が破損したりランプが脱落することを防止ないし低減できる。
【００２６】
また、器具ソケットの一対の係止手段が係合する係合段部と、この係合段部に上記一対の係止手段を案内するガイド部とは、共に第２の口金部材に設けられているので、仮に第１の口金部材の嵌合部と第２の口金部材の被嵌合部との嵌合位置がずれた場合でも、これら係合段部とガイド部との位置関係がずれることはなく、ソケットの一対の係止手段がガイド部に案内されて係合段部に確実に係合される。
【００２７】
請求項５に係る発明によれば、ソケットの一対の係止手段が係合する係合段部と一体に形成されている一対の係止突部が、第１の口金部材の嵌合部が第２の口金部材の被嵌合部に嵌合したときに、第１の口金部材側に突出するように形成しているので、係合段部の肉厚を第１の口金部材の形状を考慮することなく大きくとることができ、係合段部の強度を増強させることができる。このために、ソケットの一対の係止手段と係合段部との着脱の繰返しによっても係合段部の破損を低減することができる。
【００２８】
また、係合段部の強度を増強させることができるので、一対の係止手段が係合する係合段部の係合面の角度を係合段部の肉厚や強度に制限されずに設定することができ、着脱し易く、かつ一定以上の係合強度を確保した係合段部を形成することができる。
【００２９】
請求項６に係る発明によれば、請求項１記載の口金を備えた環形蛍光ランプを提供することができる。
【００３０】
請求項７に係る発明によれば、上記請求項６に係るバルブが多重環バルブであるので、多重環形の環形蛍光ランプを提供することができる。
【００３１】
請求項８に係る発明によれば、上記請求項６または７記載の環形蛍光ランプを具備しているので、請求項６または７の発明の作用効果を奏する。また、環形蛍光ランプを備えた照明器具を提供することができる。
【発明を実施するための最良の形態】
【００３２】
以下、本発明の実施形態を添付図面に基づいて説明する。なお、これら添付図面中、同一または相当部分には同一符号を付している。
【００３３】
図１は本発明の第１の実施形態に係る環形蛍光ランプの一部切欠正面図、図２は図１の要部拡大断面図、図３は同口金の外観斜視図、図４は同口金の上面図、図５は同口金の底面図、図６は同口金の正面図である。
【００３４】
図１に示すように、環形蛍光ランプ１は例えば多重環バルブ２に口金３を装着して構成されている。
【００３５】
多重環バルブ２はガラス製の外側環形バルブ２Ａの内側にて、これと相似形のガラス製の内側環形バルブ２Ｂを同一平面上にて同心状に配置し、これら外側環形バルブ２Ａと内側環形バルブ２Ｂとを連結部２Ｃにより一体的に連結することにより、単一の放電路を形成している。
【００３６】
これら外，内側環形バルブ２Ａ，２Ｂは、例えば１本の各直管状ガラスバルブ２Ａ１，２Ｂ１の曲げ加工により、一平面上にて例えばほぼ正方形にそれぞれ形成されて相似形に形成されており、複数の直管部ｓ，…と、複数の屈曲部ｃ，…とを有する。これら外，内側環形バルブ２Ａ，２Ｂは、各々の軸方向両端部２Ａ２，２Ａ３、２Ｂ２，２Ｂ３を、所要の間隔を置いてほぼ同心状に対向配置されている。これら外，内側環形バルブ２Ａ，２Ｂの端部２Ａ２，２Ａ３、２Ｂ２，２Ｂ３の外面には、中空状の口金３が、これら両端部２Ａ２と２Ａ３、ならびに２Ｂ２と２Ｂ３間を跨るように外嵌されている。
【００３７】
外，内側環形バルブ２Ａ，２Ｂの各直管部Ｓの管外径は、例えば１２〜２０ｍｍの範囲内である。ランプ効率などのランプ特性や製造条件を考慮した場合の各直管部ｓの管外径の最適範囲は１４〜１８ｍｍである。なお、屈曲部ｃ近傍の直管部ｓは屈曲部ｃの曲げ加工において若干管外径が変化して部分的に上記範囲から外れることが考えられるが、本発明の場合、直管部ｓの大部分が上記範囲内であればよい。なお、直管部ｓの肉厚は約０．８〜１．２ｍｍ程度とするのがよい。
【００３８】
外，内環形バルブ２Ａ，２Ｂは、ソーダライムガラスやバリウムシリケートガラスなどの軟質ガラスで形成されるが、ほうケイ酸ガラスなどの半硬質ガラス製であってもよい。バルブの肉厚は０．８〜１．２ｍｍ程度が望ましいがこれに限定されない。
【００３９】
外，内環形バルブ２Ａ，２Ｂのほぼ全内面には、蛍光体層４が形成されている。蛍光体層４を構成する蛍光体は、三波長発光形蛍光体、ハロ燐酸塩蛍光体など周知の蛍光体で構成可能であるが、発光効率の観点から三波長発光形蛍光体の使用が好ましい。
【００４０】
三波長発光形の蛍光体としては、４５０ｎｍ付近に発光ピーク波長を有する青系蛍光体としてＢａＭｇ２Ａｌ１６Ｏ２７：Ｅｕ２＋、５４０ｎｍ付近に発光ピーク波長を有する緑系蛍光体として（Ｌａ，Ｃｅ，Ｔｂ）ＰＯ４、６１０ｎｍ付近に発光ピーク波長を有する赤系蛍光体としてＹ２Ｏ３：Ｅｕ３＋などが適用可能であるが、これらに限定されない。
【００４１】
なお、バルブ２の内面と蛍光体層４との間に、図示しない保護膜を介在させてもよい。保護膜としては金属酸化物微粒子から構成したものが好適であり、金属酸化物微粒子には、アルミナ（Ａｌ２Ｏ３）やリン酸ストロンチウム（Ｓｒ２Ｐ２Ｏ７）などの微粒子を用いることが可能である。
【００４２】
そして、多重環バルブ２の管長は、主として連結部２ｃによって複数の環形ガラスバルブを連絡して単一の放電路が形成される関係で、環形バルブの数、多重環形蛍光ランプの外形サイズおよび定格ランプ電力等の設計要因により影響される。したがって、多重環バルブ２の管長は、８００〜３０００ｍｍの範囲から適宜選択することにより、一般照明用として好適な多重環蛍光ランプを得ることができる。なお、管長は管軸に沿う寸法である。
【００４３】
さらに、多重環バルブ２は、本発明において、隣接する対をなす外，内環形ガラスバルブ２Ａ，２Ｂの屈曲部ｃ間の間隔は、その最大距離が６〜１５ｍｍに規定されている。しかし、上記距離が６ｍｍ未満になると、屈曲部ｃの曲率半径が小さくなり過ぎるために、バルブの屈曲が困難になる。
【００４４】
図２に示すように多重環バルブ２の外側環形バルブ２Ａと内側環形バルブ２Ｂの各一端部（図２では左端部）２Ａ２，２Ｂ２内には一対の電極マウント５，６がそれぞれ封着されている。
【００４５】
各電極マウント５，６は、フレアステム５ａ，６ａ、それぞれ一対の内部導入線５ｂ，５ｃと６ｂ，６ｃ、アウターリード５ｄ，５ｅ、６ｄ，６ｅおよびジュメットワイヤＪならびに電極５ｆ，６ｆを予め一体化して構成された組立体である。そして、フレアステム５ａ，６ａは、外，内環形バルブ２Ａ（または２Ｂ）の内部に連通する細管５ｇ，６ｇを有しているとともに、バルブ端部２Ａ２，２Ｂ２に気密にガラス溶着されている。細管５ｇ，６ｇは、後述する連結部２Ｃを形成するための吹き破り部を形成する際に空気を吹き込む際に空気吹込口として利用される。また、多重環バルブ２の内部を排気したり放電媒体を封入したりする際にも利用され、放電媒体を封入した後にチップオフされる。放電媒体は、水銀およびアルゴン（Ａｒ）からなり、多重環バルブ２を形成した後に細管５ｇ，６ｇを経由して多重環バルブ２の内部に封入されている。なお、細管５ｇ，６ｇは、放電媒体の封入後にチップオフされる。内部導入線５ｂ，５ｃと６ｂ，６ｃとアウターリード５ｄ，５ｅ、６ｄ，６ｅは、フレアステム５ａ，６ａ内に気密に埋設されたジュメットワイヤＪを介して接続されている。各電極５ｆ，６ｆは、一対の内部導入線５ｂ，５ｃと６ｂ，６ｃの先端間にそれぞれ継線されている。
【００４６】
なお、前記電極マウント５，６に代えて、所望により既知の他の封着構造、例えばステムガラスを備えない電極マウントを直接封着するピンチシール構造、ボタンステムやビードステムを備えた電極マウントを、当該ステムガラスを介して封着する構造等を用いて封着することができる。
【００４７】
連結部２Ｃは、外側環形バルブ２Ａおよび内側環形バルブ２Ｂにおける他方の直管部Ｓの外端面から所定距離後退した位置に形成され、外側環形バルブ２Ａ内と内側環形バルブ２Ｂ内とを連通して単一の放電路を形成している。したがって、多重環バルブ２の内部には、一方の電極６ｆから外側環形バルブ２Ａ、連結部２ｃ、内側環形バルブ２Ｂを経由して他方の電極５ｆに至る単一の放電路が形成されている。
【００４８】
図３〜図６に示すように口金３は、ＰＢＴ（ポリブチレンテレフタレート）やＰＥＴ（ポリエチレテレフタレート）、ＰＣ（ポリカーボネイト）等の合成樹脂により中空ほぼ偏平円筒状に形成されている。図４の外観上面図で示すほぼ偏平半円筒状の第１の口金部材７と、図５の外観底面図で示す偏平半円筒状の第２の口金部材８とを、その径方向開口端同士を結合して組合せることにより、軸方向両端開口の偏平中空円筒状の口金本体３ｏが形成される。
【００４９】
図１〜図４に示すように、第１の口金部材７は、その外面（図１では上面）のほぼ中央部に、角形のピン凹部７ａを形成し、このピン凹部７ａの底部７ｂ上に、中空円筒状の４本の口金ピン７ｃ，７ｃ，…を矩形状に配列して垂直に立設している。図３，図６に示すように各口金ピン７ｃは、その先端面がピン凹部７ａの図中上面開口端７ｄよりも低くなるように形成され、各口金ピン７ｃの先端面が第１の口金部材７の外面よりも上方へ突出しないように形成されている。
【００５０】
図３に示すように第１の口金部材７と第２の口金部材８は、その各軸方向両端部に、外，内側環形バルブ２Ａ，２Ｂの各端部２Ａ２，２Ａ３、２Ｂ２，２Ｂ３をそれぞれ嵌入させるために、２つの半円状円弧を所要の間隔を置いて連成した側壁７ｅ，７ｆ、８ｅ，８ｆをそれぞれ形成している。
【００５１】
図７は第１の口金部材７の外面斜視図、図８は同第１の口金部材７の内面斜視図である。これらの図に示すように第１の口金部材７は外，内環形バルブ２Ａ，２Ｂの各両端部２Ａ２，２Ａ３、２Ｂ，２Ｂ３をそれぞれ嵌入させて支持するための左右一対のバルブ嵌入部７ｇ，７ｈを形成し、これら一対のバルブ嵌入部７ｇ，７ｈ同士を、ピン凹部７ａの底部７ｂを介して一体に連結している。
【００５２】
底部７ｂは、その図７中左右方向の幅がバルブ嵌入部７ｇ，７ｈの幅よりも狭く、その左右両側面、すなわち多重環形バルブ２の環径方向内外両側に、外部に連通する左右一対の連通溝７ｉ，７ｊを形成し、底部７ｂの左右一対の側面７ｋ，７ｌに、底部係合凹部７ｍ，７ｎをそれぞれ形成している。
【００５３】
図２，図８に示すように底部７ｂは、その内面の一端部（図２，図８では左端部）に、一対のリード線ガイド９，１０を一体に突設している。これらリード線ガイド９，１０は環径方向外側のリード線５ｄ，６ｄを挿脱自在に挿入し得る係合溝を有し、これら係合溝内に、これら外側のリード線５ｄ，６ｄを挿脱自在に挿入することにより、内側のアウターリード線５ｅ，６ｅと離間させた状態で保持することができる。このために、環径方向で隣り合う一対のアウターリード線５ｄと５ｅ、６ｄと６ｅ同士が接触して短絡することを防止することができる。
【００５４】
図８に示すように第１の口金部材７は、左右一対のバルブ嵌入部７ｇ，７ｈの一方、例えば７ｇの内面に、多重環バルブ２の一方の端部２Ａ２，２Ｂ２の先端面に当接してバルブ端部２Ａ２，２Ｂ２の嵌入位置を位置決めする位置決めリブ７ｏを一体に突設している。また、一対のバルブ嵌入部７ｇ，７ｈは、その図８中、前後一対の側壁開口端７ｇａ，７ｈａ上に、嵌合部の一例である４つの係止突片７ｐ，７ｐ，７ｐ，７ｐを突設している。
【００５５】
図９は第２の口金部材８の外面斜視図、図１０は同内面斜視図である。これらの図に示すように第２の口金部材８は、その図中左右一対の側壁８ａ，８ｂに、その長手方向中間部にて左右一対の係止突部８ｃ，８ｄを一体に突設している。これら一対の係止突部８ｃ，８ｄは、後述するソケット１１の一対の係止手段であるＶばね１１ｄ，１１ｄを一対の係止段部８ｌ，８ｍに案内するガイド部としての機能を有する。
【００５６】
各係止突部８ｃ，８ｄは図３に示すように第１の口金部材７と第２の口金部材８とを結合させて口金３に構成したときに、ピン凹部７ａの底部７ｂの左右両側（環径方向両側）に突出して、このピン凹部７ａの一対の側壁を形成し、連通溝７ｉ，７ｊを閉塞する部分である。
【００５７】
各係止突部８ｃ，８ｄは、その頂端面を各口金ピン７ｃの頂端面（外端面）とほぼ同一高さ、またはそれ以上の高さに形成され、その内側には、ピン凹部７ａの底部７ｂの一対の連通溝７ｉ，７ｊに嵌合して、この底部７ｂよりも若干上方へ突出する溝嵌合部８ｇ，８ｈを一体に連成している。これら溝嵌合部８ｇ，８ｈの内面には、第１の口金部材７の底部係合凹部７ｍ，７ｎに着脱自在に係合する係合突部８ｉ，８ｉをそれぞれ一体に突設している。
【００５８】
各係止突部８ｃ，８ｄは、その外面が第１の口金部材７の外面に沿うように外方に突出する円弧状面を形成している。この円弧状の外面の中央部には図３〜図６，９，１０に示すように、ガイド部としての一対の係合縦溝８ｊ，８ｋが第２の口金部材８の軸直角方向（口金ピン７ｃの突出方向）にそれぞれ形成されている。これら係合縦溝８ｊ，８ｋの縦方向中間部、すなわち、図６，図１０に示すように一対の側壁８ａ，８ｂの開口端とほぼ同一の高さ（口金３の高さ方向の中間位置であり、第１の口金部材７と第２の口金部材８との分割境界線）において、内方に凹む係止段部８ｌ，８ｍを形成している。
【００５９】
そして、図１０に示すように第２の口金部材８は、その左右一対の円弧状側壁８ａ，８ｂに、被嵌合部の一例である例えば４つの矩形の係合透孔８ｎ，８ｎ，８ｎ，８ｎを形成している。これら係合透孔８ｎは上記第１の口金部材７の４つの係止突片７Ｐ，…にそれぞれ着脱自在に係合するようになっている。
【００６０】
なお、上記環形蛍光ランプ１では、第１の口金部材７と第２の口金部材８とを、複数の突片７Ｐと複数の係合透孔８ｎとの係合により結合して口金３を構成したが、本発明はこれに限定されるものではなく、例えばこれら係合透孔８ｎと係止突片７Ｐとの係合部間にシリコーン接着剤を介在させて固着してもよい。さらに、第１，第２の口金部材７，８の内面に、シリコーン接着剤を塗布してこれら第１，第２の口金部材７，８を外側環形バルブ２Ａの両端部２Ａ２，２Ａ３と内側環形バルブ２Ｂの両端部２Ｂ２，２Ｂ３とに固着してもよい。
【００６１】
これによれば、第１の口金部材７と第２の口金部材８とを結合してなる口金３自体の結合強度を向上させることができるうえに、口金３と多重環バルブ２との結合強度を向上させることができる。
【００６２】
図１１は上記口金３の口金ピン７ｃ，…に着脱自在に装着されるソケット１１の外観斜視図、図１２は同ソケット１１の平面図、図１３は図１２の側面図である。
【００６３】
ソケット１１は、そのベース１１ｂと台座１１ｃをＰＢＴやＰＥＴ，ＰＣ等の合成樹脂により形成しており、図示しない照明器具に配設され、その照明器具に配設される図示しないインバータ等の点灯回路にコードを介して電気的に接続される。ソケット１１は上記口金３の４本の口金ピン７ｃ，…に着脱自在に嵌合して電気的に接続される４本のピン孔１１ａ，１１ａ，１１ａ，１１ａを備えている。
【００６４】
すなわち、ソケット１１は例えば矩形のベース１１ｂ上に、矩形状の台座１１ｃを一体に突設している。この台座１１ｃは上記口金３のピン凹部７ａ内に挿脱自在に嵌入し得る形状と寸法に形成され、この台座１１ｃの外面（図１１，図１２では上面）には、上記４つのピン孔１１ａ，…を穿設している。各ピン孔１１ａは図示しないコードを介して点灯回路に電気的に接続されている。
【００６５】
ソケット１１は、ベース１１ｂ上に、台座１１ｃの両側（図上下両面）にて、係止手段の一例である一対のＶばね１１ｄ，１１ｅを垂直方向に起立させて立設している。
【００６６】
各Ｖばね１１ｄ，１１ｅは、その先端部に、Ｖ字状に内方へ屈曲するＶ字状係止段部１１ｄａ，１１ｅａを一体に連成している。
【００６７】
これら一対のばね１１ｄａ，１１ｅａは、図３〜図５で示す口金３、すなわち、第２の口金部材８の一対の係合縦溝８ｊ，８ｋ内に着脱自在に係合し、そのＶ字状係止段部１１ｄａ，１１ｅａがこの係合縦溝８ｊ，８ｋの係止段部８ｌ，８ｍに着脱自在に係合するようになっている。
【００６８】
次に、以上のように構成されている口金３を多重環バルブ２に組み付けて環形蛍光ランプ１に構成する方法の一例を説明する。
【００６９】
まず、第１の口金部材７の各バルブ嵌入部７ｇ，７ｈ内に、図２で示すように多重環バルブ２のバルブ端部２Ａ２，２Ａ３、２Ｂ２，２Ｂ３を嵌入し、外側のアウターリード５ｄ，６ｄを各リードガイド９，１０に挿入してから、各アウターリード５ｄ，５ｅ、６ｄ，６ｅの先端部を各口金ピン７ｃ内に、その内底面挿入孔から挿入し、各口金ピン７ｃの先端開口から若干突出させておく。
【００７０】
次に、図７で示す各口金ピン７ｃの図中上方から図示しないかしめ用治具の受け部材を挿入する。この後、各口金ピン７ｃの左右両側の連通溝７ｉ，７ｊから図示しないかしめ用ポンチを挿通させて押圧し、これを受け部材で受けることにより各口金ピン７ｃの先端部をかしめる。これにより、図２に示すように各口金ピン７ｃに、各アウターリード５ｄ，５ｅ、６ｄ，６ｅが電気的かつ機械的に接続される。この後、各口金ピン７ｃの頂端より外方へ突出する各アウターリード５ｄ，５ｅ、６ｄ，６ｅ突出端部を切除する。
【００７１】
次に、この第１の口金部材７の開口端上に、第２の口金部材８の開口端を揃えて被せ、第１の口金部材７側へ押し込む。
【００７２】
すると、第１の口金部材７の４つの係止突片７ｐ，…と、第２の口金部材８の４つの係合透孔８ｎ，…と、が係合し、また、２つで一対の底部係合凹部７ｍ，７ｎと、２つで一対の係合突部８ｉ，８ｉとが係合して口金本体３ｏとして組み立てられる。
【００７３】
こうして第１の口金部材７と第２の口金部材８とが結合されて口金３に組み立てられた後は、図３に示すように口金ピン７ｃ，…の左右両側（多重環バルブ２の環径方向内外両側）には、第２の口金部材８の一対の係止突部８ｃ，８ｄが底部７ｂよりも図中上方に突出して側壁を形成し、口金ピン７ｃの側方の一対の連通溝７ｉ，７ｉを閉塞する。
【００７４】
これにより、矩形配置の各口金ピン７ｃの四方を側壁により取り囲むピン凹部７ａが形成される。このために、このピン凹部７ａは図３中、上方のみしか開口せず、その開口面積を減少させているので、この開口からピン凹部７ａ内に異物が侵入して口金ピン７ｃが変形し、または破損することを低減することができる。
【００７５】
そして、口金ピン７ｃをピン凹部７ａ内に配設しているので、このピン凹部７ａ内に嵌入するソケット１１の台座１１ｃに設けたソケット孔１１ａと口金ピン７ｃとの嵌合の容易性と確実性とを向上させることができる。
【００７６】
さらに、これらソケット孔１１ａ内に口金ピン７ｃが嵌合した状態では、ソケット１１の係合手段としての一対のＶばね１１ｄ，１１ｅの各Ｖ字状係止段部１１ｄａ，１１ｅａが口金３の一対の係止突部８ｃ，８ｄに形成された係合縦溝８ｊ，８ｋに案内されて係合段部８ｌ，８ｍに係止して口金３をバルブの環径方向に弾性的に挟持するので、口金３がソケット１１に簡単かつ確実に装着される。
【００７７】
また、図６に示すように第２の口金部材８の一対の係止突部８ｃ，８ｄを第１の口金部材７側へ突出させているので、これら係止突部８ｃ，８ｄの係止段部８ｌ，８ｍを、第１の口金部材７と第２の口金部材８との接合線近傍に配設することができる。
【００７８】
ソケット１１の一対のＶばね１１ｄ，１１ｅの各Ｖ字状係止段部１１ｄｅ，１１ｅａが係止段部８ｌ，８ｍに係合する係合部が、口金３の軸直交方向の幅寸法が最大になる第１の口金部材７と第２の口金部材８との接合面ないしその近傍に位置させることにより、係合段部８ｌ，８ｍの間の寸法を大きくすることができる。なお、この係合段部８ｌ，８ｍが接合面よりも第２の口金部材８側に位置するほど係合段部８ｌ，８ｍの間隔が円筒形状外面形状に沿って小さくなることから口金３の中央部に係合縦溝８ｊ，８ｋによって形成される狭幅部が目立ち易くなり、外観上好ましくない。また、係合段部８ｌ，８ｍの間隔が小さくなるとピン凹部７ａおよびその内側のスペースも小さくなってしまうことから、アウターリード５ｅ，５ｄ、６ｅ，６ｄの配線作業が煩雑となり、ピンの取付構造にも問題が生じ易くなる。したがって、係止段部８ｌ，８ｍは口金３の高さ寸法の略中央部に位置させるのが好ましい。
【００７９】
また、第１の口金部材７と第２の口金部材８は、これらの各６箇所の係合部、すなわち、第１の口金部材７の４つの係止突片７ｐ，…と第２の口金部材８の４つの係止透孔８ｍ，…との４箇所の係合と、第１の口金部材７の一対の底部係合凹部７ｍ，７ｍと第２の口金部材８の一対の係止突部８ｉ，８ｉとの２箇所の係合と、により、それぞれ係合するので、第１の口金部材７と第２の口金部材８との係合の確実性を向上させることができる。
【００８０】
また、天井面側に取り付けられたソケット１１の一対のＶばね１１ｄ，１１ｅがソケット１１に取り付けられた状態の口金３において重力方向下側に位置する第２の口金部材８を弾性的に挟持するので、この第２の口金部材８にかかっている多重環バルブ２の荷重およびランプ取外し時の応力が確実にＶばね１１ｄ，１１ｅに伝わることになる。
【００８１】
このため、口金３に組み付けられた後の第２の口金部材８が第１の口金部材７から分離ないし脱落する事態を防止ないし低減することができる。
【００８２】
そして、この環形蛍光ランプ１によれば、ソケット１１の一対のＶばね１１ｄ，１１ｅが係合する係合段部８ｌ，８ｍと、この係合段部８ｌ，８ｍに一対のＶばね１１ｄ，１１ｅを案内するガイド部である一対の係合縦溝８ｊ，８ｋとは、共に第２の口金部材８の係止突部８ｃ，８ｄに一体的に設けられており、これらの位置関係は固定的であるので、仮に第１の口金部材７の係止突片７Ｐと第２の口金部材８の係合透孔８ｎとの嵌合位置がずれた場合でも、これら係合段部８ｌ，８ｍとガイド部である一対の係止突部８ｃ，８ｄとの位置関係がずれることがない。このために、ソケット１１の一対のＶばね１１ｄ，１１ｅを係止突部８ｃ，８ｄにより係合段部８ｌ，８ｍに確実に案内し係合させることができる。
【００８３】
また、係止突部８ｃ，８ｄは、第１の口金部材７の係止突片７Ｐと第２の口金部材８の係合透孔８ｎとが嵌合したときに、第１の口金部材７側へ突出するので、その分、係合段部８ｌ，８ｍの厚さ（係止突部８ｃ，８ｄの突出方向の深さ寸法）を大きくすることができ、係合段部８ｌ，８ｍの強度を向上させることができる。このために、ソケット１１の一対のＶばね１１ｄ，１１ｅをガイド部である一対の係止突部８ｃ，８ｄにより係合段部８ｌ，８ｍへ繰返し案内する場合でも、その破損を防止または低減することができる。
【００８４】
また、係合段部８ｌ，８ｍの厚さ寸法を大きくすることができるので、この一対のＶばね１１ｄ，１１ｅのＶ字状係止段部１１ｄａ，１１ｅａと係合する係合段部８ｌ，８ｍの係合面ｋ，ｋの角度を、係合段部８ｌ，８ｍの強度に制限されずに、着脱し易い角度に形成することができる。例えば、係止突部８ｃ，８ｄが形成されていない場合には、係合段部８ｌ，８ｍの厚肉を確保するために第１の口金部材７と第２の口金部材８との境界線よりも第２の口金部材８側に係合段部８ｌ，８ｍを移動させるか、係合段部８ｌ，８ｍの係合面ｋ，ｋの口金中心方向を第２の口金部材８の底面側に偏位するように傾斜させて深さ方向の肉厚を大きくする必要がある。しかし、前者は上述のように狭幅部が目立つ等の不具合があり、後者は係合面ｋ，ｋの外側端部の肉厚が小さいので、係合強度が低下する虞があるとともに、係合面ｋ，ｋの傾斜角度次第ではＶ字状係止段部１１ｄａ，１１ｅａによる保持力が低下して口金３が不意にソケット１１から脱落するおそれがあるので好ましくない。これに対し、本実施形態によれば、係止突部８ｃ，８ｄによって係合段部８ｌ，８ｍの肉厚を十分に確保できるので、係合面ｋ，ｋがなす傾斜角度をソケット１１のＶばね１１ｄ，１１ｅの係合のし易さに応じて比較的自由に設定することができる。
【００８５】
図１４は本発明の第２の実施形態に係る口金３Ａの上面側外観斜視図、図１５は同底面側外観斜視図、図１６は同口金３Ａの第１の口金部材７Ａの上面側外観斜視図、図１７は同第１の口金部材７Ａの内面斜視図、図１８は同口金３Ａの平面図である。
【００８６】
この口金３Ａは、図７で示す上記口金３の第１の口金部材７の左右一対の連通溝７ｉ，７ｊに、予め左右一対の側壁２１，２２を一体に連成し、さらに、これら各側壁２１，２２を、内外２重の２重壁２１ａ，２１ｂ、２２ａ，２２ｂに形成し、これら内壁２１ａ，２１ｂと外壁２２ａ，２２ｂの各間隙に、これら側壁２１，２２とほぼ等しい長さの貫通孔の係合孔２３，２４を穿設している点に主な特徴を有する。また、左右一対の外壁２１ｂ，２２ｂの外面側には、上記ソケット１１の一対のＶばね１１ｄ，１１ｅが着脱自在に係合する縦係合溝２５ａ，２５ｂを第１の口金部材７Ａと第２の口金部材８Ａの側面にそれぞれ形成している。また、これら以外の構成は上記第１実施形態に係る第１の口金部材７と同一であるので、同一符号を付している。
【００８７】
第２の口金部材８Ａは、この第１の口金部材７Ａと結合して口金３Ａを構成するものであり、その内面に、第１の口金部材７Ａの一対の係合孔２３，２４内を貫通して第１の口金部材７Ａの一対の側壁２１，２２の内壁２１ａ，２２ａと外壁２１ｂ，２２ｂとの間に突出して係止する一対の係止爪（図示せず）を一体に突設している。
【００８８】
したがって、この口金３Ａによれば、口金ピン７ｃの側方を一対の側壁２１，２２により閉塞しているので、この口金ピン７ｃの側方から異物が侵入して口金ピンを変形させたり、破損させたりすることを防止ないし低減することができる。
【００８９】
但し、これでは口金ピン７ｃの側方を左右一対の側壁２１，２２により閉じているので、この口金ピン７ｃの側方からかしめ用ポンチを挿通できないので、口金ピン７ｃをかしめることはできない。
【００９０】
そこで、この第１の口金部材７Ａでは、図１８，図１９に示すように左右一対の２重壁２１ａ，２１ｂ、２２ａ，２２ｂの各頂端部に、各口金７ｃの上端かしめ部に直角方向からかしめ用ポンチが挿通し得る円弧状等所要形状の複数のかしめ用切欠２６，…を口金ピン７ｃにほぼ直線状に向けてそれぞれ形成している。
【００９１】
このために、第１の口金部材７Ａを第２の口金部材８Ａに結合する前に、この第１の口金部材７Ａの各口金７ｃ内に、各アウターリード５ｄ，５ｅ、６ｄ，６ｅの先端部を挿通し、次に、かしめ用切欠２６，…からかしめ用ポンチをそれぞれ挿通してかしめ、各口金７ｃに各アウターリード５ｄ，５ｅ、６ｄ，６ｅを接続する。この後、この第１の口金部材７Ａの一対の係合孔２３，２４内に、第２の口金部材８Ａの一対の係止爪をそれぞれ嵌入させて口金３Ａに構成する。
【００９２】
したがって、この口金３Ａによっても各口金ピン７ｃのかしめにより、各口金ピン７ｃに各アウターリード５ｄ，５ｅ、６ｄ，６ｅを大量かつ迅速に接続することができる。
【００９３】
図２０は本発明の第３の実施形態に係る照明器具３１の平面図である。この照明器具３１は、上記図１で示す環形蛍光ランプ１と、この環形蛍光ランプ１を着脱自在に装着する器具本体３２と、この器具本体３２に配設されて、環形蛍光ランプ１に電力を供給する点灯回路３３と、を具備している。
【００９４】
器具本体３２は例えば天井に取り付けられ、図示しない反射体、点灯回路３３に電気的に接続されたランプソケットおよび環形蛍光ランプ１を器具本体３２に着脱自在に取り付けるランプホルダー等の保持具を具備している。反射体は例えば白色四角錐形状に形成されて環形蛍光ランプ１の内側にて同心状に配設される。
【００９５】
点灯回路３３は商用電源からの電力を得て、これを所要周波数の高周波電力に変換し、これをランプソケットを経て環形蛍光ランプに供給するものである。
【００９６】
この照明器具３１によれば、器具本体３２の四角錐形状の白色反射体が四角形の環形蛍光ランプ１の中心にほぼ同心状に配設されているので、器具下側方向への配光特性が四角形になり、四角形状の部屋等の照明空間にほぼ均一に照明することができる。
【図面の簡単な説明】
【００９７】
【図１】本発明の一実施形態に係る環形蛍光ランプの一部切欠正面図。
【図２】図１で示す口金の第１の口金部材内面とバルブ両端部とを示す要部拡大断面図。
【図３】図１で示す口金の斜視図。
【図４】図１で示す口金の上面図。
【図５】図４で示す口金本体の底面図。
【図６】図４で示す口金の底面図。
【図７】図４で示す第１の口金部材の外面斜視図。
【図８】図７で示す第１の口金部材の内面斜視図。
【図９】図４で示す第２の口金部材の外面斜視図。
【図１０】図９で示す第２の口金部材の内面斜視図。
【図１１】器具用ソケットの斜視図。
【図１２】図１１の平面図。
【図１３】図１１の側面図。
【図１４】本発明の第２の実施形態に係る口金の外観斜視図。
【図１５】図１４で示す口金の底部斜視図。
【図１６】図１４で示す口金の第２の口金部材の外観斜視図。
【図１７】図１４で示す第２の口金部材の内面斜視図。
【図１８】図１４の平面図。
【図１９】図１８のＸＩＸ矢視図。
【図２０】本発明の第３の実施形態に係る照明器具の正面図。
【符号の説明】
【００９８】
１…環形蛍光ランプ、２…多重環バルブ、３，３Ａ…口金、４…蛍光体層、５ｄ，５ｅ、６ｄ，６ｅ…アウターリード、５ｆ，６ｆ…電極、７，７Ａ…第１の口金部材、７ａ…ピン凹部、７ｂ…底部、７ｃ…口金ピン、７ｇ，７ｈ…バルブ嵌入部、７ｉ，７ｊ…連通溝、７ｐ…係止突片、８，８Ａ…第２の口金部材、８ｃ，８ｄ…一対の係止爪、８ｇ，８ｈ…溝嵌合部、８ｎ…係止透孔、９，１０…一対のリードガイド、１１…ソケット、１１ａ…ソケット孔、１１ｃ…台座、１１ｄ，１１ｅ…Ｖばね、２１，２２…一対の側壁、２１ａ，２１ｂ、２２ａ，２２ｂ…一対の側壁の内外２重壁、２３，２４…一対の嵌合孔、２６…かしめ用切欠、３１…照明器具、３２…器具本体、３３…点灯回路。
【図１】
2006140143.tif 000003
【図２】
2006140143.tif 000004
【図３】
2006140143.tif 000005
【図４】
2006140143.tif 000006
【図５】
2006140143.tif 000007
【図６】
2006140143.tif 000008
【図７】
2006140143.tif 000009
【図８】
2006140143.tif 000010
【図９】
2006140143.tif 000011
【図１０】
2006140143.tif 000012
【図１１】
2006140143.tif 000013
【図１２】
2006140143.tif 000014
【図１３】
2006140143.tif 000015
【図１４】
2006140143.tif 000016
【図１５】
2006140143.tif 000017
【図１６】
2006140143.tif 000018
【図１７】
2006140143.tif 000019
【図１８】
2006140143.tif 000020
【図１９】
2006140143.tif 000021
【図２０】
2006140143.tif 000022